(57)【要約】  本発明は、日除け用アーム要素及び日除け用関節アームに関する。本発明は：少なくとも一端に周辺前面縁（３）を有する管状部材（２）を有するアーム部（１）；並びに固定手段（５）、結合手段（６）、及び前記結合手段（６）を取り囲む周辺面（７）を有する固定部（４）からなる。本発明によれば、周辺前面縁（３）及び周辺面（７）は、アーム部（１）に属する長手方向中心線（L）に対して傾いた断面に沿っている。さらに、結合手段（６）はアーム部（１）の中空端部内に挿入され、アーム部（１）の周辺前面縁（３）は固定部（４）の周辺面（７）に支持される。本発明に係る日除け用関節アームは前記アーム要素を用いて製造される。
2007514881.tif 000002
【特許請求の範囲】
【請求項１】
中空内部を有する管状部材（２）、及び周辺前面縁（３）を有する少なくとも一つの接続端部を有するアーム部（１）と、
固定構造（５）、少なくとも一つの接続構造（６）、及び前記接続構造（６）周囲の周辺面（７）を有する固定部（４）と、を備え、
前記接続構造（６）は前記アーム部（１）の前記接続端部に差し込まれて、前記アーム部（１）の前記周辺前面縁（３）は前記固定部（４）の前記周辺面（７）に支持されるタイプの日除け用アーム要素であって、
前記周辺前面縁（３）及び前記周辺面（７）の両方が前記アーム部（１）の長手方向中心線Ｌに対して傾斜した断面に従う方向を向くことを特徴とする日除け用アーム要素。
【請求項２】
前記アーム部（１）の管状部材（２）は動作時に大きい方の寸法が概ね鉛直方向を向いた平坦な断面構造を有し、前記固定構造（５）は前記長手方向中心線（Ｌ）が水平位置にあるときに前記長手方向中心線（Ｌ）に垂直かつ実質的に鉛直な軸（Ｅ）に対して関節固定をもたらすようになっており、前記周辺前面縁（３）及び前記周辺面（７）が向く前記傾斜した断面は前記軸（Ｅ）に対しても前記長手方向中心線（Ｌ）に対しても垂直である線に平行であることを特徴とする請求項１に記載のアーム要素。
【請求項３】
前記アーム部（１）の接続端部の傾斜した周辺前面縁（３）の上端とそれが対応する周辺面（７）の上端とは、荷重が前記アーム部（１）に加わるときはそれらの下端よりも前記関節軸に近く、荷重が前記固定部（４）に加わるときは遠いことを特徴とする請求項２に記載のアーム要素。
【請求項４】
前記固定部（４）は、前記アーム部（１）の内側に組み付けられたテンション要素を挿入するために前記接続構造（６）を介して前記固定構造（５）と前記アーム部（１）の前記管状部材（２）の中空内部とが連通する長手方向通路（８）を有することを特徴とする請求項１に記載のアーム要素。
【請求項５】
第１及び第２のアーム要素（１ａ、１ｂ）を備え、その各々は、中空内部を有する管状部材（２ａ、２ｂ）と、各々が周辺前面縁（３ａ、３ｂ、３ｃ、３ｄ）を有する第１及び第２の接続端部と、を有し、並びに
関節固定構造（５ａ、５ｂ、５ｃ、５ｄ）と、少なくとも一つの接続構造と、前記接続構造の周囲の周辺面（７ａ、７ｂ、７ｃ、７ｄ）と、を有する第１及び第２の接続端部の各々に固定部（４ａ、4ｂ、4ｃ、4ｄ）を備え、
前記接続構造は各アーム要素（１ａ、１ｂ）の対応する接続端部に差し込まれ、前記アーム要素（１ａ、１ｂ）の前記周辺前面縁（３ａ、３ｂ、３ｃ、３ｄ）は対応する固定部（４ａ、４ｂ、４ｃ、４ｄ）の前記周辺面（７ａ、７ｂ、７ｃ、７ｄ）に支持され、前記第１のアーム要素（１ａ）の前記第１の接続端部の前記関節固定構造（５ａ）は固定されたアンカー点に連結するようになっており、前記第１のアーム要素（１ａ）の前記第２の接続端部の前記関節固定構造（５ｂ）と前記第２のアーム要素（１ｂ）の前記第１の接続端部の前記関節固定構造（５ｃ）とが共に連結されて前記第２のアーム要素（１ｂ）の前記第２の接続端部の前記関節固定構造（５ｄ）は日除け荷重バーに連結するようになっているタイプの日除け用関節アームであって、
各差し込み接続部において、前記周辺前面縁（３ａ、３ｂ、３ｃ、３ｄ）及びそれが対応する周辺面（７ａ、７ｂ、７ｃ、７ｄ）は、対応するアーム要素（１ａ、１ｂ）の長手方向中心線（Ｌ）に対して傾斜した断面に従う方向を向くことを特徴とする日除け用関節アーム。
【請求項６】
前記第１及び第２のアーム要素（１ａ、１ｂ）の管状壁（２ａ、２ｂ）は、日除けアームアセンブリが実質的に水平であるときに大きい方の寸法が概ね鉛直方向を向く平坦な断面を有し、
前記関節固定構造（５ａ、５ｂ、５ｃ、５ｄ）は、日除けアセンブリが実質的に水平であるときに実質的に平行かつ概ね鉛直方向を向いた複数の軸（Ｅ）に対して関節固定をもたらすようになっており、
各差し込み接続部において、前記周辺前面縁（３ａ、３ｂ、３ｃ、３ｄ）及び関連する周辺面（７ａ、７ｂ、７ｃ、７ｄ）の方向が従う前記横断面は、軸（Ｅ）にも、対応するアーム要素（１ａ、１ｂ）の長手方向の線（Ｌ）にも垂直な線に平行であることを特徴とする請求項５に記載のアーム要素。
【請求項７】
前記第１及び第２のアーム要素（１ａ、１ｂ）の前記第１の接続端部の前記傾斜した周辺前面縁（３ａ及び３ｃ）の上端と、それらが対応する周辺面（７ｂ及び７ｃ）の上端とは、それらの下端よりもそれらの各々の軸（Ｅ）に近く、
前記第１及び第２のアーム要素（１ａ、１ｂ）の前記第２の接続端部の前記傾斜した周辺前面縁（３ｂ及び３ｄ）の上端と、それらが対応する周辺面（７ｂ及び７ｄ）の上端とは、それらの下端よりもそれらの各々の軸（Ｅ）から遠いことを特徴とする請求項６に記載のアーム要素。
【請求項８】
第１のアーム要素（１ａ）の前記第２の接続端部の前記固定部（４ｂ）は、前記第１のアーム要素（１ａ）の内側に組み付けられたテンション要素を挿入するために前記接続構造を介して、対応する固定構造（５ｂ）と前記第１のアーム要素（１ａ）の前記管状部材（２ａ）の前記中空内部とを連通させる長手方向通路（８）を有し、
前記第１及び第２のアーム要素（１ａ、１ｂ）を伸ばされた位置に配置させようとする力トルクを生成するために、前記テンション要素の一端が前記第２のアーム要素（１ｂ）の前記第１の接続端部の前記固定部（４ｃ）に接続されることを特徴とする請求項５に記載のアーム要素。
【発明の詳細な説明】
【技術分野】
【０００１】
本発明は、管状要素を備えるアーム部と、アーム部の一端に差し込まれる少なくとも一つの固定部と、を有する日除け用アーム要素であって、管状要素の周辺前面縁と固定部の周辺接触面とが傾斜した断面に従う方向を向くアーム要素に関する。本発明はまた、上記のような少なくとも二つの部分を備える日除け用関節アームであって、各々の隣接固定部が相互の関節固定構造を定める日除け用関節アームに関する。
【背景技術】
【０００２】
日除け用アーム要素を所定の長さに切断された管形状部材から作る方法であって、その各端部の周辺前面縁がアーム部の長手方向中心線に対して実質的に垂直をなす断面に従う方向を向き、管形状部材が概ね関節固定部を定める一対の鋳込まれた固定部で終了するように作る方法は周知である。前記固定部の各々はアーム部の前記接続端部に差し込まれるように設計された接続構造と、前記接続構造の周囲に配置されて前記アーム部の周辺前面縁を支持する前記差し込み接続に対するストッパとなるようになっている狭い周辺面とを有する。
【０００３】
本出願人の国際公開第９８／０１６３８号パンフレットには、上記の構造を有するアーム要素を備える関節アームが記載されている。スペイン国実用新案出願第１０５２７３３号明細書には、関節部が上記方式と類似の方式で、対応する管状要素に差し込まれるようになっている一対の部分を備える関節エルボが記載されている。そのような差し込み接続の不都合の一つは、前記周辺前面縁に対する固定部の接続構造の周囲に配置された上記周辺面の支持が、組み付け中は有用であるにもかかわらず、接続強度の増加への寄与はほとんどないことである。これは、このタイプの日除けのアームが、しばしば水平又はわずかに傾いた平面内に張り出し式に取り付けられ、アーム要素の一端が壁類に固定された支持部に関節式に結合され、他のアーム要素の他端が日除け荷重バーに関節式に結合され、及び両アーム要素の隣接端部が共に関節式に接続されるからである。日除けの重量と実際のアームの重量との組み合わせは固定要素と管状アーム要素との差し込み接続における剪断力を生じる。使用時に、固定部の接続構造は曲がろうとし、管状要素の口は開こうとし、それにより差し込み接続は緩んで、日除け作用に悪い効果をもたらす。固定部の周辺アームとアーム部の周辺前面縁とは各々の管状要素の長手方向中心線に対して実質的に垂直な断面に従う方向を向くので、両者の界面は鉛直又は鉛直に対してわずかに傾斜し、実際には上記の剪断力に抵抗するためには何もしない。
【特許文献１】国際公開第９８／０１６３８号パンフレット
【特許文献２】スペイン国実用新案出願第１０５２７３３号明細書
【特許文献３】欧州特許出願公開第１３３１３２３号
【特許文献４】スペイン国特許出願公開第２０７４９４７号
【特許文献５】欧州特許出願公開第１０６３３６７号
【発明の開示】
【発明が解決しようとする課題】
【０００４】
本発明の一つの目的は、日除けが水平又は傾斜位置に組み付けられるときにアーム部の管状要素の端部における固定部の差し込み接続部が日除けの重量及びアーム自身の重量によって生じる力に抵抗するのに寄与する日除け用アーム要素及び日除け用関節アームを提供することである。
【課題を解決するための手段】
【０００５】
前記及び他の目的は、通常は中空管状部材、及び周辺前面縁を有する少なくとも一つの接続端部を有するアーム部と、固定構造、少なくとも一つの接続構造、及び前記接続構造周囲の周辺面を有する固定部と、を備えるタイプの日除け用アーム要素であって、接続構造がアーム部の前記端部に差し込まれ、アーム部の前記周辺前面縁が固定部の前記周辺面に支持される日除け用アーム要素を提供する本発明の第１の態様によって達成される。本発明のアーム要素は、周辺前面縁と周辺面がアーム部の長手方向中心線に対して傾斜した断面に従う方向を向くことを特徴とする。
【０００６】
アーム部の管状部材は、大きい方の寸法が概ね鉛直方向に向いた平坦な断面構造を有する。上記の固定部は管状部材の長手方向中心線を横断する軸に対して関節固定をもたらすようになっている。上記断面はまた、周辺前面縁及び周辺面がどのような方向を向くかによるが、上記関節軸に対して傾斜している。傾斜する側は回転トルクの方向に依存する。一般的に、管状要素接続部の端部の傾斜周辺前面縁の上端は、管状要素の他端が荷重を支持しているときはその下端よりも関節軸に近い。このように、傾斜周辺前面縁を傾斜周辺面上で支持することはアーム部に加わる荷重に抵抗することに役立つ。
【０００７】
本発明のもう一つの態様によれば少なくとも第１及び第２のアーム部を備え、その各々が中空管状部材と第１及び第２の端部とを有し、対応する固定部がその中に差し込まれて関節固定構造と嵌合する日除け用関節アームであって、第１のアーム部の一方の接続端部における関節固定構造が壁類に固定されるアンカーに連結され、第１及び第２のアーム部の隣接する端部の関節固定構造が共に連結され、第２のアーム部の他端の関節固定構造が日除け荷重バーに連結され、各接続部が発明の第１の態様に従って述べられたように差し込まれる日除け用関節アームが提供される。
【発明を実施するための最良の形態】
【０００８】
前記の特徴と利点は添付図を参照して、以下のいくつかの製品例の詳細な説明からよりよく理解されるであろう。
【０００９】
先ず図１を参照すれば、本発明の日除け用アーム要素はその端部の少なくとも一つに結合された固定部４を有するアーム部１を備える。アーム部は中空管状部材２を備え、中空管状部材２は例えばアルミニウムの押出し成形により得られて周辺前面縁３を有する少なくとも一つの接続端部を呈する寸法に切断される。固定部４は、例えば射出成形されたアルミニウム射出品によって作られ、固定構造５、少なくとも一つの接続構造６、及び周辺面７を有する。接続構造６は、アーム部１の前記接続端部の中空内部に差し込まれることにより接続されるようになっており、周辺面７は、前記接続構造６の周囲に配置されている。周辺前面縁３も周辺面７も共にアーム部１の長手方向中心線Ｌに対して傾斜した断面に従う方向を向く。
【００１０】
図２は組み付けられた日除け用アーム要素を示し、固定部４は、接続構造６がアーム部１の接続端部の中空内部内に差し込み接続されることによりアーム部１に結合される。固定部４の周辺面７はアーム部１の周辺前面縁３に支持され、通常、組み付け中の接続構造６の挿入用のストッパとして作用する。しかしながら、周辺面７上での周辺前面縁３の支持にはまた、図３Ｂに関連して後述するように、アーム要素に加わる鉛直方向の力に抗して差し込み接続を強化する作用もある。上記傾斜した横断面の傾斜の度合い及び方向は、周辺前面縁３及び周辺面７がどのような方向を向くかによるが、アーム部１の構造、固定構造５のタイプ、及び力が加わる点に依存する。
【００１１】
図１及び２に示される例は日除けセクタでの通常の用途に対応している。ここで、アーム部１の管状部材２は平坦な断面形状を有し、その長い方の寸法は通常は鉛直方向を向いており、前記固定構造５は、アーム部１の長手方向中心線Ｌが水平位置にあるときに長手方向中心線Lに対して垂直でかつほぼ鉛直になる軸Ｅに対して関節固定をもたらすようになっている。この場合、周辺前面縁３及び周辺面７が向く傾斜した断面は軸Ｅ及び長手方向中心線Ｌの両方に対して垂直である線に平行である。図１及び２では固定構造５はフォーク形状で示されるが、関節ピン等に対する軸方向オリフィス付き芯等多くの他の候補がある。
【００１２】
図３Ａに示される図面は従来技術によってアーム部１に差し込まれた固定部４である。固定部４は埋め込みＰにより象徴的に表される強い支持ブラケットに固定される一方、張り出したアーム部１は固定部４により所定位置に保持され、荷重Ｆが固定部４から最も遠いアーム部１の他端に加わる。荷重Ｆは例えば日除け及び実際のアーム自身の重量に起因し、したがって、鉛直下方の方向を有する。この荷重Fは、固定部４の周辺面７とアーム部１の周辺前面縁３との従来の鉛直接続界面に伝達されて、固定部４とアーム部１の接続端部との接続構造に加わる剪断力Ｆｃに事実上完全に変換される。図から分るように、アーム部１の周辺前面縁３に対する固定部４の周辺面７の支持に対する摩擦は、界面の法線方向に力の成分がないので、剪断力Ｆｃへの抵抗作用は全くない。
【００１３】
図３Ｂは本発明によってアーム部１に差し込まれた固定部４を図示している。ここでは、同様の荷重Ｆは、固定部４の周辺面７とアーム部１の周辺前面縁３との傾斜した接続界面に伝達されて、前記界面に平行な剪断力Ｆｃと界面に垂直な法線方向圧縮力Ｆｎとに分解される。図で分るように、剪断力Ｆｃが図３Ａに示される従来技術の剪断力より小さい一方で、法線方向圧縮力Ｆｎは、アーム部１の周辺前面縁３に対する固定部４の周辺面７の支持によって何ら困難もなく抵抗を受ける。さらに、周辺面７と周辺前面縁３との摩擦領域の面積が、ここでは従来技術のそれと比較して大きく、法線方向圧縮力Ｆｎの存在によって剪断力Ｆｃに抵抗する摩擦力が生成する。
【００１４】
周辺前面縁３と周辺面７との界面がアーム部１の中心軸Ｌに対してなす角度Ａは９０°より小さく、好ましくは４５°と６０°の間である。前記界面の上端は、荷重がアーム部１に加わるときはその下端よりも関節軸に近くなり、荷重が固定アーム４に加わるときは遠くなる。
【００１５】
本発明による固定部４とアーム部１との差し込み接続部の構造は固定部４内の長手方向通路８の存在を可能にしている。長手方向通路８は、アーム部１の内側に組み付けられるテンション要素を通過させるために、接続構造６を介して固定部５とアーム部材１の管状部材２の中空内部とを連通させる。これは以下に述べるように、アーム要素が日除け用関節アームの形成に使用される際に有用である。
【００１６】
図４を参照すると、日除け用関節アームは要素１ａ及び１ｂの少なくとも第１及び第２のアーム部からなり、その各々は中空内部を有する管状部材２ａ及び２ｂと、各々が周辺前面縁３ａ、３ｂ、３ｃ、及び３ｄを有する第１及び第２の接続端部と、を有する。対応する固定部４ａ、４ｂ、４ｃ、及び４ｄは、関節固定構造５ａ、５ｂ、５ｃ、及び５ｄと、少なくとも一つの接続構造と、前記接続構造の周囲の周辺面７ａ、７ｂ、７ｃ、及び７ｄと、を有する各アーム部１ａ、１ｂの上記第１及び第２の接続端部の各々に差し込まれる。接続構造（図４には図示せず）は各アーム部１ａ、１ｂの対応する接続端部に差し込まれ、アーム部１ａ、１ｂの前記周辺前面縁３ａ、３ｂ、３ｃ、及び３ｄは対応する固定部４ａ、４ｂ、４ｃ、及び４ｄの前記周辺面７ａ、７ｂ、７ｃ及び７ｄに支持される。上記と同様にして、アーム要素に関しては、これらの差し込み接続部の各々において、周辺前面縁３ａ、３ｂ、３ｃ、及び３ｄは、対応する周辺面７ａ、７ｂ、７ｃ、及び７ｄと共に、関連するアーム部１ａ及び１ｂの長手方向中心線Ｌに対して傾斜した断面に従う方向を向く。
【００１７】
第１のアーム１ａの第１の接続部の関節固定構造５ａは、壁類のような固定されたアンカー点に連結するようになっている。第１のアーム部１ａの第２の接続端部の関節固定構造５ｂと、第２のアーム部１ｂの第１の接続端部の関節固定構造５ｃとは、共に連結して関節アームエルボを形成する。第２のアーム部１ｂの第２の接続端部の関節固定構造５ｄは、日除け荷重バーに連結するようになっており、したがって、ここは日除けの重量の大部分が加わる点となる。
【００１８】
第１及び第２のアーム部１ａ及び１ｂの上記管状壁２ａ、２ｂは平坦な断面構造を有し、大きい寸法は日除けアームアセンブリが実質的に水平な位置に伸ばされたときに概ね鉛直方向を向く。上記関節固定構造５ａ、５ｂ、５ｃ、及び５ｄは、複数の軸Ｅに関する関節固定をもたらすようになっている。複数の軸Eは実質的に平行であり、日除けアームアセンブリーが実質的に水平であるときに概ね鉛直方向を向く。各差し込み接続部においては、周辺前面縁３ａ、３ｂ、３ｃ、及び３ｄ、並びに関連する周辺面７ａ、７ｂ、７ｃ、及び７ｄが向く傾斜した断面は、軸Ｅ及び、対応するアーム部１ａ、１ｂに対する長手方向の線Ｌの両者に対して垂直である線に平行である。
【００１９】
第１のアーム部１ａの第１の接続端部の関節固定構造５ａによってアームが使用中に固定アンカー点に連結されること、及び第２のアーム部１ｂの第２の接続端部の関節固定構造５ｄに荷重が加わることを考慮すれば、第１及び第２のアーム部１ａ、１ｂの第１の接続端部の周辺前面縁３ａと３ｃの上端と、対応する周辺面７ｂ及び７ｃの上端とは、それらの下端よりもそれらの各軸Ｅに近く、周辺前面縁３ｂ及び３ｄの上端と、第１及び第２のアーム部１ａ及び１ｂの第２の接続端部と、それらの対応する周辺面７ｂ及び７ｄの上端とは、それらの下端よりもそれらの各軸Ｅから遠い。
【００２０】
第１のアーム部１ａの第２の接続端部の固定部４ｂは長手方向通路（図示せず）を有し、これは、対応する固定構造５ｂを接続構造を介して第１のアーム部１ａの管状部材２ａの中空内部とつなぎ、第１のアーム部１ａの内側に組み付けられるテンション要素（図示せず）が挿入される。通常は、前記テンション要素の一端は第１のアーム部１ａの固定点に接続され、他端は第２のアーム部１ｂの第１の接続端部の固定部４ｃに接続されて、第１及び第２のアーム部１ａ及び１ｂを伸ばされた位置に配置させようとする力トルクが生成される。
【００２１】
上記及び図解された製品例は、添付の特許請求の範囲により定められる本発明の範囲に対して単に例示的かつ非限定的な特徴を有するにすぎない。
【図面の簡単な説明】
【００２２】
【図１】組み付け前の本発明に係る日除け用アーム要素の部分斜視図である。
【図２】組み付け後の本発明に係る日除け用アーム要素の部分斜視図である。
【図３Ａ】従来技術の固定部とアーム部との従来の接続領域に加わる荷重の作用を図示する模式図である。
【図３Ｂ】本発明に係る固定部とアーム部との接続領域に加わる同様の荷重によって生じる力の分解を図示する模式図である。
【図４】本発明に係る日除け用のアームの側面図である。
【図１】
2007514881.tif 000003
【図３】
2007514881.tif 000004
2007514881.tif 000005
【図４】
2007514881.tif 000006
【国際調査報告】
2007514881.tif 000007
2007514881.tif 000008
2007514881.tif 000009
2007514881.tif 000010